(57)【要約】【課題】液滴の着弾位置ずれを抑制することができると共にコストを低減した液体噴射ヘッドモジュールの製造方法及び液体噴射ヘッドモジュールを提供する。【解決手段】複数の液体噴射ヘッド１０と、複数の前記液体噴射ヘッド１０を保持する保持部材５０と、を具備し、前記液体噴射ヘッド１０が前記保持部材５０に保持される保持部３１が設けられたヘッドケース３０を具備する液体噴射ヘッドモジュール１の製造方法であって、前記ヘッドケース３０を成形した金型毎に識別マーク３５を付ける工程と、同じ識別マーク３５が付与された前記ヘッドケース３０を有する前記液体噴射ヘッド１０を組み合わせて、同一の前記保持部材５０に保持させる工程と、を具備する。【選択図】      図３
2012179805.tif 000002
【特許請求の範囲】
【請求項１】
複数の液体噴射ヘッドと、複数の前記液体噴射ヘッドを保持する保持部材と、を具備し、前記液体噴射ヘッドが前記保持部材に保持される保持部が設けられたヘッドケースを具備する液体噴射ヘッドモジュールの製造方法であって、
前記ヘッドケースを成形した金型毎に識別マークを付ける工程と、
同じ識別マークが付与された前記ヘッドケースを有する前記液体噴射ヘッドを組み合わせて、同一の前記保持部材に保持させる工程と、を具備することを特徴とする液体噴射ヘッドモジュール。
【請求項２】
前記識別マークを付ける工程では、当該識別マークを前記液体噴射ヘッドの液体噴射面側の面及び当該液体噴射面とは反対面側の両方に設けることを特徴とする請求項１記載の液体噴射ヘッドモジュールの製造方法。
【請求項３】
前記ヘッドケースを成形する際に同時に前記識別マークを前記ヘッドケースに形成することを特徴とする請求項１又は２記載の液体噴射ヘッドモジュールの製造方法。
【請求項４】
前記液体噴射ヘッドは、前記ヘッドケースに固定された流路部材をさらに具備し、
前記流路部材を前記液体噴射ヘッドへの液体の供給特性に基づいて分類し、同じ分類となる前記流路部材を同じ識別マークが付与された前記ヘッドケースに固定する工程をさらに具備することを特徴とする請求項１〜３の何れか一項に記載の液体噴射ヘッドモジュールの製造方法。
【請求項５】
複数の液体噴射ヘッドと、
複数の前記液体噴射ヘッドを保持する保持部材と、を具備し、
前記液体噴射ヘッドは、前記保持部材に保持される保持部が設けられたヘッドケースを有し、
前記ヘッドケースの前記保持部には、当該ヘッドケースを成形した金型毎に異なる識別マークが設けられており、
前記保持部材には、同じ前記識別マークが設けられたヘッドケースを有する前記液体噴射ヘッドが保持されていることを特徴とする液体噴射ヘッドモジュール。
【発明の詳細な説明】
【技術分野】
【０００１】
本発明は、液体噴射ヘッドを複数具備する液体噴射ヘッドモジュールの製造方法及び液体噴射ヘッドモジュールに関する。
【背景技術】
【０００２】
インクジェット式プリンターやプロッター等のインクジェット式記録装置に代表される液体噴射装置は、カートリッジやタンク等の貯留されたインクなどの液体を液滴として噴射可能な液体噴射ヘッドを具備する液体噴射ヘッドモジュール（以下、ヘッドモジュールとも言う）を具備する。
【０００３】
液体噴射ヘッドモジュールとしては、複数の液体噴射ヘッドが、共通の保持部材であるマウント部材に固定されたものが提案されている（例えば、特許文献１参照）。
【先行技術文献】
【特許文献】
【０００４】
【特許文献１】特開２００９−２９７９０２号公報
【発明の概要】
【発明が解決しようとする課題】
【０００５】
しかしながら、保持部材に固定する液体噴射ヘッドのヘッドケースを成形により形成すると、成形する際に用いる金型によって寸法にばらつきが生じるため、異なる金型で形成したヘッドケースを有する液体噴射ヘッドを共通の保持部材に固定した際に、液体噴射ヘッドの取り付け角度にばらつきが生じ、インク滴の吐出方向（飛翔角度）にばらつきが生じて、インク滴の被記録媒体への着弾位置ずれが発生してしまうという問題がある。
【０００６】
また、複数の液体噴射ヘッドの吐出タイミングを調整して、着弾位置ずれを低減することもできるものの、調整手段が必要になると共に各ヘッドモジュール毎に吐出タイミングの調整を行う作業が必要で煩雑であると共に高コストになってしまうという問題がある。
【０００７】
なお、このような問題は、インクジェット式記録ヘッドを具備するインクジェット式記録ヘッドモジュールだけではなく、インク以外の液体を噴射する液体噴射ヘッドを具備する液体噴射ヘッドモジュールにおいても同様に存在する。
【０００８】
本発明はこのような事情に鑑み、液滴の着弾位置ずれを抑制することができると共にコストを低減した液体噴射ヘッドモジュールの製造方法及び液体噴射ヘッドモジュールを提供することを目的とする。
【課題を解決するための手段】
【０００９】
上記課題を解決する本発明の態様は、複数の液体噴射ヘッドと、複数の前記液体噴射ヘッドを保持する保持部材と、を具備し、前記液体噴射ヘッドが前記保持部材に保持される保持部が設けられたヘッドケースを具備する液体噴射ヘッドモジュールの製造方法であって、前記ヘッドケースを成形した金型毎に識別マークを付ける工程と、同じ識別マークが付与された前記ヘッドケースを有する前記液体噴射ヘッドを組み合わせて、同一の前記保持部材に保持させる工程と、を具備することを特徴とする液体噴射ヘッドモジュールにある。
かかる態様では、同じ金型によって成形されたヘッドケースを有する液体噴射ヘッドを保持部材に保持させることができるため、保持部の金型の違いによる誤差によって、取り付け面の高さばらつきを抑えることができ、保持部材に保持された液体噴射ヘッドの傾斜方向及び傾斜角度にばらつきが生じるのを抑制することができる。また、着弾位置ずれを調整する調整手段が不要となると共に、着弾位置ずれを調整する工程が不要となってコストを低減することができる。
【００１０】
ここで、前記識別マークを付ける工程では、当該識別マークを前記液体噴射ヘッドの液体噴射面側の面及び当該液体噴射面とは反対面側の両方に設けることが好ましい。これによれば、何れか一方面の識別マークが認識できなくなっても、識別間違いを抑制することができる。また、液体噴射ヘッドを保持部材に取り付けた後も、識別マークの認識が可能になる。さらに、液体噴射ヘッドを保持部材に取り付けるときに、ひっくり返して確認する必要がなくなるので、工程での取り付け間違いによる不良発生を低減できる。
【００１１】
また、前記ヘッドケースを成形する際に同時に前記識別マークを前記ヘッドケースに形成することが好ましい。これによれば、識別マークを設ける工程が不要となり、コストを低減することができる。また、ケースヘッドの両端のフランジ部に識別マークを設け、さらに離型用のエジェクトピンの突き出し部と識別マークとを兼用することで、ケースヘッドを小型化でき、液体噴射ヘッドを小型化することができる。
【００１２】
また、前記液体噴射ヘッドは、前記ヘッドケースに固定された流路部材をさらに具備し、前記流路部材を前記液体噴射ヘッドへの液体の供給特性に基づいて分類し、同じ分類となる前記流路部材を同じ識別マークが付与された前記ヘッドケースに固定する工程をさらに具備することが好ましい。これによれば、供給特性のばらつきによる液体の噴射特性のばらつきを抑制することができる。
【００１３】
たとえば、流路部材にダイヤフラム、バネ、弁体から構成される所定の負圧で開放する弁を設け、背圧制御の機能を持たせる場合、圧力制御に固体ばらつきが生じる。この結果、圧力制御ばらつきによって液体噴射ヘッドから吐出される液滴の重量、飛翔速度にばらつきが生じる。この圧力制御ばらつきを固体毎に分類し、対になる分類のケースヘッドを組み合わせることで、液体の飛翔速度ばらつきによる着弾位置ばらつきを低減させることができる。もちろん、流路部材の内部に弁体が設けられていない場合であっても、流路部材の内部の流路の断面積のばらつきによって流路抵抗にばらつきが生じ、液体の供給特性にばらつきが生じることも考えられるため、弁体が内部に設けられていない流路部材であっても同様である。
【００１４】
さらに、本発明の他の態様は、複数の液体噴射ヘッドと、複数の前記液体噴射ヘッドを保持する保持部材と、を具備し、前記液体噴射ヘッドは、前記保持部材に保持される保持部が設けられたヘッドケースを有し、前記ヘッドケースの前記保持部には、当該ヘッドケースを成形した金型毎に異なる識別マークが設けられており、前記保持部材には、同じ前記識別マークが設けられたヘッドケースを有する前記液体噴射ヘッドが保持されていることを特徴とする液体噴射ヘッドモジュールにある。
【００１５】
かかる態様では、識別マークを識別するだけで、成形した金型を把握することができるため、液体噴射ヘッドモジュールの組み立て時に同じ識別マークの液体噴射ヘッドを容易に識別して、傾斜方向及び傾斜角度の揃った液体噴射ヘッドを保持部材にに搭載することができる。そして、液体噴射ヘッドモジュールの各液体噴射ヘッドの傾斜方向及び傾斜角度を揃えることで、液体の着弾位置ずれを抑制することができる。
【図面の簡単な説明】
【００１６】
【図１】実施形態１に係るヘッドモジュールの分解斜視図である。
【図２】実施形態１に係るヘッドモジュールの平面図である。
【図３】実施形態１に係るヘッドモジュールの要部断面図である。
【図４】実施形態１に係るヘッドモジュールの製造方法を示す要部断面図である。
【図５】実施形態１に係るヘッドモジュールの製造方法を示す概略断面図である。
【図６】実施形態１に係るヘッドモジュールの製造方法を示す概略断面図である。
【図７】実施形態１に係るヘッドケースの要部斜視図である。
【発明を実施するための形態】
【００１７】
以下に本発明を実施形態に基づいて詳細に説明する。
（実施形態１）
図１は、本発明の実施形態１に係る液体噴射ヘッドモジュールの一例であるインクジェット式記録ヘッドモジュールを示す斜視図であり、図２は、ヘッドモジュールの液体噴射面とは反対面側の平面図であり、図３は、ヘッドモジュールのヘッドの並設方向の断面図及びそのＡ−Ａ′線の要部断面図である。
【００１８】
図示するように、本実施形態のインクジェット式記録ヘッドモジュール１（以下、単にヘッドモジュールとも言う）は、液体としてインクを吐出するインクジェット式記録ヘッド１０、（以下、単にヘッドとも言う）と、複数のヘッド１０を保持する保持部材５０と、を具備する。
【００１９】
ヘッド１０は、一端面にインク滴を吐出する液体噴射面２１が設けられたヘッド本体２０と、ヘッド本体２０の液体噴射面２１とは反対側の端部に固定されたヘッドケース３０と、ヘッドケース３０のヘッド本体２０が固定された面とは反対面側に固定された流路部材４０と、を具備する。
【００２０】
ヘッド本体２０の内部には、特に図示していないが、液体噴射面２１側に開口してインク滴を吐出するノズル開口と、このノズル開口に連通する流路の一部を構成する圧力発生室と、圧力発生室に圧力変化を生じさせてノズル開口からインク滴を吐出させる圧力発生手段と、などが設けられている。
【００２１】
このようなヘッド本体２０の内部に設けられる圧力発生手段は、特に限定されず、例えば、電気機械変換機能を呈する圧電材料を２つの電極で挟んだ圧電アクチュエーターや、圧力発生室内に発熱素子を配置して、発熱素子の発熱で発生するバブルによってノズル開口からインク滴を吐出するものや、振動板と電極との間に静電気を発生させて、静電気力によって振動板を変形させてノズル開口から液滴を吐出させるものなどを用いることができる。また、圧電アクチュエーターとしては、圧力発生室側から下電極、圧電材料及び上電極を積層して撓み変形させる撓み振動型の圧電素子や、圧電材料と電極形成材料とを交互に積層させて軸方向に伸縮させる縦振動型の圧電素子などを用いることができる。
【００２２】
ヘッドケース３０は、ヘッド本体２０のインク滴が吐出される液体噴射面２１とは反対面側に固定されて、流路部材４０からのインクをヘッド本体２０に供給又は外部に排出する流路が内部に形成されている。
【００２３】
また、ヘッドケース３０には、長手方向の両側面に外側に突出するフランジ状の保持部３１が設けられている。この保持部３１の液体噴射面２１側の面が保持部材５０の表面に当接する保持面３２となっており、この保持面３２を保持部材５０に当接した状態で、ヘッド１０は、保持部材５０に保持される。
【００２４】
また、保持部３１には、厚さ方向（ヘッド本体２０、ヘッドケース３０及び流路部材４０の積層方向）に貫通する貫通孔３３が設けられている。この貫通孔３３に液体噴射面２１とは反対側からねじ部材等の締結部材６０を挿通し、締結部材６０を保持部材５０に螺合させることで、ヘッド１０は保持部材５０に保持される。
【００２５】
また、保持部３１には、ヘッド１０を保持部材５０に位置決めする際に位置決めの基準となる位置決め穴３４が設けられている。この位置決め穴３４は、図示しないノズル開口に対して所定の位置に位置決めされたものであり、例えば、位置決め治具に設けられた位置決めピンを位置決め穴３４に挿入することで、複数のヘッド１０の相対的な位置決めを行った状態で保持部材５０に固定することができる。
【００２６】
なお、本実施形態では、ヘッド１０を保持部材５０に位置決めする際に用いる位置決め穴３４を設けるようにしたが、特にこれに限定されず、保持部３１にアライメントマークを設け、位置決めピンではなく、撮像手段等を用いてヘッド１０の相対位置の位置決めを行うようにしてもよい。また、ヘッド１０の位置決め穴３４及びアライメントマークを設けずに、直接ノズル開口の位置を撮像手段などによって把握してヘッド１０の相対位置の位置決めを行うようにしてもよい。
【００２７】
さらに、保持部３１には、識別マーク３５が設けられている。この識別マーク３５は、本実施形態では、円形状に開口する凹部からなり、保持部３１の液体噴射面２１側の面と、液体噴射面２１とは反対側の面との両方に設けられている。この識別マーク３５は、ヘッドケース３０を成形した際の金型が識別できるように設ける。このため、識別マーク３５は、ヘッドケース３０を成形する金型の数と同じ種類だけ用意する必要がある。例えば、別の金型用の識別マークとしては、円形状の凹部の中央に凹部よりも小さな外径の円形状の凸部がある、所謂、環状（ドーナツ状）に開口する凹部などが挙げられる。また、識別マーク３５は、円形状に開口する凹部に対して、三角形状や四角形状等の多角形状に開口する凹部などが挙げられる。もちろん、識別マークは、凹部だけに限定されず、ヘッドケース３０の表面から突出する凸部であってもよい。さらに、識別マークとして、文字や記号を設けるようにしてもよく、また、文字や記号が設けられたシートを貼付するようにしてもよい。
【００２８】
このような識別マーク３５は、保持部３１の液体噴射面２１側の面と、液体噴射面２１とは反対側の面との両面に設けられている。このように、保持部３１の液体噴射面２１側の保持面３２とは反対側の面に識別マーク３５を設けることで、ヘッド１０を運搬中にヘッド１０の液体噴射面２１側を保護ケースに入れて保護したとしても、ヘッド１０を保護ケースから取り出すことなく、識別マーク３５によってヘッド１０を識別することができる。また、保持部材５０に搭載された際に保持面３２に設けられた識別マーク３５が見えなくなったとしても、反対側の面に設けられた識別マーク３５を認識することができ、ヘッド１０の識別を容易に且つ確実に行うことができる。
【００２９】
なお、本実施形態では、詳しくは後述するが、ヘッドケース３０を成形する際に同時に識別マーク３５が形成されるようにした。これにより、成形と識別マーク３５との付与とを同時に行って、ヘッドケース３０に間違えた識別マーク３５を付与することがないようにしている。
【００３０】
また、本実施形態では、識別マーク３５を、ヘッド１０の並設方向の一方側に寄せて設けている。これにより、ヘッド１０を保持部材５０に保持させる際の方向を識別マーク３５の位置で識別することができ、保持部材５０に保持されたヘッド１０の取り付け角度にばらつきが生じるのを抑制することができる。すなわち、ヘッド１０の保持面３２が一方向に傾いていた場合、取り付け方向を１８０度回転させると、ヘッド１０の保持部材５０の表面に対する傾きは逆転してしまう。このため、同じ取り付け方向でヘッド１０を保持部材５０に保持させることで、傾いていた場合に、同じ方向に傾かせて着弾位置ずれを抑制することができる。
【００３１】
さらに、本実施形態では、ヘッドケース３０にはヘッド本体２０とは反対面側に流路部材４０が固定されている。
【００３２】
流路部材４０は、ヘッドケース３０のヘッド本体２０とは反対面側に固定されて、外部からのインクをヘッドケース３０を介してヘッド本体２０に供給又はヘッド本体２０から外部に排出するものである。
【００３３】
具体的には、流路部材４０のヘッドケース３０に固定された面とは反対側の面には、内部の流路が開口して外部の流路が接続される液体流路口４１と、外部からの印刷信号等の電気信号が供給されるコネクター４２と、が設けられている。
【００３４】
本実施形態では、液体流路口４１を２つ設け、これら２つの液体流路口４１の間にコネクター４２が配置されるようにした。
【００３５】
このような流路部材４０に設けられた２つの液体流路口４１は、少なくとも一方が、外部からヘッド１０の内部の流路に液体を供給する液体供給口として機能する。すなわち、２つの液体流路口４１の内、一方の液体流路口４１が、液体供給口として機能し、他方の液体流路口４１が、ヘッド１０の内部の液体を外部に排出する液体排出口として機能してもよい。また、２つの液体流路口４１の両方が、液体供給口として機能するようにしてもよい。そして、このようなヘッド１０は、図１及び図３に示すように、保持部材５０に複数個が保持されてヘッドモジュール１を構成する。
【００３６】
複数のヘッド１０を保持する保持部材５０は、本実施形態では板状部材からなり、厚さ方向に貫通する保持孔５１が設けられている。
【００３７】
保持孔５１は、ヘッド１０の保持部３１よりも液体噴射面２１側が挿入されるものであり、本実施形態では、４つのヘッド１０の液体噴射面２１側が挿入可能な大きさを有する。
【００３８】
また、保持孔５１は、ヘッド１０の保持部３１よりも液体噴射面２１側が挿入された際に、保持部３１よりも小さな幅の開口を有する。これにより、ヘッド１０の液体噴射面２１側を保持孔５１内に挿入した際に、ヘッド１０の保持部３１の液体噴射面２１側の面が貫通孔の周縁部に当接されることで、挿入方向の移動が規制される。また、保持部材５０には、各ヘッド１０の貫通孔３３に対応して固定孔５２が設けられている。そして、ヘッド１０の液体噴射面２１側を保持孔５１内に挿入して、保持部３１の保持面３２を保持部材５０の表面に当接させた状態で、保持部３１の貫通孔３３に締結部材６０を挿入して、締結部材６０を固定孔５２に螺合させることで、ヘッド１０を保持部材５０に保持させる。このとき、上述のように、ヘッド１０の保持部３１の液体噴射面２１側の面（保持面３２）に傾きがあると、保持部材５０に対してヘッド１０が傾いて取り付けられてしまう。
【００３９】
しかしながら、図４（ａ）に示すように、保持部材５０に保持される複数のヘッド１０の保持面３２が同じ方向及び角度で傾斜していれば、全てのヘッド１０が同じ傾斜方向及び傾斜角度で保持部３１に保持される。このため、複数のヘッド１０のインク滴の飛翔方向が同じになり、ヘッド１０間のノズル開口の相対位置がそのまま被記録媒体へのインク滴の着弾位置となり、インク滴の着弾位置ずれが抑制される。
【００４０】
これに対して、図４（ｂ）に示すように、保持部材５０に保持される複数のヘッド１０の保持面３２の方向及び角度にばらつきが生じると、ヘッド１０は保持部材５０にばらばらの角度で取り付けられることになり、ヘッド１０間でノズル開口の相対位置が高精度に位置決めされていても、インク滴の飛翔方向にばらつきが生じ、着弾位置ずれが生じてしまう。
【００４１】
このため、保持面３２が同じ方向及び角度の傾斜となるヘッド１０を共通の保持部材５０に保持させて１つのヘッドモジュール１を構成する。なお、ヘッドケース３０は、成形によって製造されるため、ヘッドケース３０が製造された金型の違いによって、保持面３２の傾斜方向及び傾斜角度が異なってしまう。このため、本実施形態では、ヘッドケース３０の成形時の金型が分かるようにヘッドケース３０に識別マーク３５を設けている。すなわち、識別マーク３５が同じヘッド１０同士を組み合わせてヘッドモジュール１を組み立てることによって、図４（ａ）に示すように、複数のヘッド１０を同じ傾斜角度及び傾斜方向で共通の保持部材５０に固定することができ、着弾位置ずれを抑制することができる。
【００４２】
ここで、ヘッドケース３０に識別マーク３５を付与する方法の一例について図５〜図７を参照して説明する。なお、図５及び図６は、ヘッドモジュールの製造方法、特に、ヘッドケースの製造方法を示す断面図であり、図７は、ヘッドケースの要部を拡大した斜視図である。
【００４３】
本実施形態では、ヘッドケース３０を図５及び図６に示す２つの金型１００、１１０によって成形するようにした。勿論、ヘッドケース３０を成形する金型が３個以上であってもよいが、金型の数に応じて識別マーク３５の種類が必要である。
【００４４】
まず、図５（ａ）に示す金型１００を用いて、ヘッドケース３０の成形と同時に識別マーク３５を付与する。金型１００は、第１のコア金型１０１と第１のキャビティ金型１０２と、を具備し、内部に樹脂の注入によりヘッドケース３０が成形されるキャビティ１０３を有する。ちなみに、第１のコア金型１０１がヘッドケース３０の流路部材４０側を成形し、第１のキャビティ金型１０２がヘッドケース３０のヘッド本体２０側を成形する。
【００４５】
そして、第１のコア金型１０１には、成形する保持部３１の流路部材４０側の面に先端が相対向して配置された第１のエジェクトピン（突き出しピン）１０４が設けられている。また、第１のキャビティ金型１０２には、成形する保持部３１のヘッド本体２０側の面に先端が相対向して設けられた第１の凸部１０５が設けられている。第１の凸部１０５は、円柱形状に突出して設けられたものであり、先端面は円盤形状を有する。
【００４６】
この第１のエジェクトピン１０４は、図５（ｂ）に示すように、第１のコア金型１０１及び第１のキャビティ金型１０２のキャビティ１０３に加熱した樹脂を流し込むことでヘッドケース３０を成形した後、金型１００から成形したヘッドケース３０を取り外す際に、ヘッドケース３０を押圧するためのものである。そして、押圧するヘッドケース３０は、完全に硬化する前であるため、第１のエジェクトピン１０４の先端面の形状が保持部３１の表面に転写される。この第１のエジェクトピン１０４の先端面が保持部３１に転写されたものを識別マーク３５とすることができる。本実施形態では、第１のエジェクトピン１０４及び第１の凸部１０５を円柱状とし、先端面を平坦面とすることで、保持部３１に形成される識別マーク３５は、図７（ａ）に示すように、円形状に開口する凹部となる。また、第１のキャビティ金型１０２に第１の凸部１０５を設けたため、キャビティ１０３内でヘッドケース３０を成形するだけで、保持部３１の保持面３２側に円形状に開口する凹部である識別マーク３５を形成することができる。すなわち、金型１００によってヘッドケース３０を成形し、金型１００からヘッドケース３０を取り出すだけで、保持部３１の両面（保持面３２とその反対面）に識別マーク３５を形成することができる。
【００４７】
また、図６（ａ）に示す金型１１０は、第２のコア金型１１１と第２のキャビティ金型１１２とを具備する。この第２のコア金型１１１及び第２のキャビティ金型１１２の内部には、樹脂の注入によりヘッドケース３０が成形されるキャビティ１１３を有する。また、第２のコア金型１１１には第２のエジェクトピン（突き出しピン）１１４が設けられている。このような第２のエジェクトピン１１４は、円柱形状を有し、先端面には、中央部に円形状の開口を有する凹部１１５が設けられている。
【００４８】
また、第２のキャビティ金型１１２には、成形する保持部３１のヘッド本体２０側の面に先端が相対向して設けられた第２の凸部１１６設けられている。第２の凸部１１６は、円柱形状を有し、先端面には中央部に円形状の開口を有する凹部１１７が設けられている。
【００４９】
これにより、図６（ｂ）に示すように、金型１１０内でヘッドケース３０を成形し、ヘッドケース３０を第２のエジェクトピン１１４によって金型１１０から取り外すことで、第２のエジェクトピン１１４の先端面が保持部３１の表面に転写されると共に、第２の凸部１１６が保持部３１の保持面３２に転写されて識別マーク３６とすることができる。このように転写された識別マーク３６は、円形状の凹部の中央に凹部よりも小さな外径の円形状の凸部がある、所謂、環状（ドーナツ状）に開口する凹部となる。
【００５０】
このように、金型１００、１１０によって成形するヘッドケース３０に異なる識別マーク３５、３６を設けることで、ヘッドケース３０の識別マーク３５、３６を確認するだけで、当該ヘッドケース３０を成形した金型１００、１１０を識別することができる。このため、ヘッドモジュール１を構成するヘッド１０として、同じ識別マーク３５のヘッド１０を用いることで、同じ金型１００又は金型１１０で成形したヘッドケース３０を有するヘッド１０のみを用いることができる。そして、上述のように、金型１００、１１０によって保持部３１の保持面３２の傾斜方向や傾斜角度にばらつきが生じるため、同じ金型１００又は金型１１０で成形したヘッドケース３０を有するヘッド１０を用いてヘッドモジュール１を構成することにより、図４（ａ）に示すように、複数のヘッド１０で保持部材５０に取り付けられた際の傾斜方向及び傾斜角度を揃えて、インク滴の飛翔角度のばらつきを抑制して、インク滴の被記録媒体への着弾位置ずれを抑制することができる。
【００５１】
また、本実施形態では、識別マーク３５、３６をヘッド１０の並設方向に偏らせて設けることで、ヘッド１０を保持部材５０に搭載する際に、識別マーク３５、３６の偏り方向を統一することで、ヘッド１０の傾斜方向及び傾斜角度を揃えることができ、インク滴の着弾位置ずれを抑制することができる。
【００５２】
特に、ヘッドケース３０の両端部のフランジ部（保持部３１）に識別マーク３５、３６を設け、さらに離型用のエジェクトピンの突き出し部と識別マーク３５、３６とを兼用することで、ヘッドケース３０を小型化でき、液体噴射ヘッドを小型化することができる。
【００５３】
（他の実施形態）
以上、本発明の一実施形態について説明したが、本発明の基本的構成は上述したものに限定されるものではない。例えば、上述した実施形態１では、第１のエジェクトピン１０４及び第２のエジェクトピン１１４によってヘッドケース３０に識別マーク３５、３６を設けるようにしたが、特にこれに限定されず、例えば、第１のコア金型１０１及び第２のコア金型１１１にも第１のキャビティ金型１０２及び第２のキャビティ金型１１２と同様に、第１の凸部１０５及び第２の凸部１１６を設け、金型１００、１１０内でヘッドケース３０を成形するだけで識別マーク３５、３６が形成されるようにしてもよい。
【００５４】
さらに、上述した実施形態１では、保持部３１の液体噴射面２１側及びそれとは反対面側の両面に識別マーク３５、３６を設けるようにしたが、特にこれに限定されず、識別マーク３５、３６を保持部３１の液体噴射面２１側の保持面３２及び保持面３２とは反対面側の何れか一方のみに設けるようにしてもよい。
【００５５】
また、上述した実施形態１では、流路部材４０を有するヘッドケース３０を用いたが、この流路部材４０の液体の供給特性に応じてランク分けし、識別マーク３５、３６が同じヘッドケース３０に同じランクの流路部材４０を固定するようにしてもよい。
【００５６】
例えば、流路部材４０の内部に、ダイヤフラム、バネ、弁体から構成される所定の負圧で開放する弁を設け、背圧制御の機能を持たせる場合、弁体が開弁する動作圧力（圧力制御）に個体ばらつきが生じる。この結果、圧力制御ばらつきによって供給特性にばらつきが生じることになり、ヘッド１０から吐出されるインク滴の重量（インク重量）や、インク滴の飛翔速度にばらつきが生じる。
【００５７】
ちなみに、インク滴の飛翔速度にばらつきが生じると、インクの着弾位置ずれが発生する。このため、流路部材４０をインクの供給特性、すなわち、弁体が開弁する動作圧力（制御圧力）に基づいてランク分け（分類）し、同じランクの流路部材４０を同じ識別マーク３５、３６のヘッドケース３０に固定することで、１つのヘッドモジュール１を構成する複数のヘッド１０の流路部材４０の供給特性のばらつきを抑制して、インク重量やインク滴の飛翔速度のばらつきを抑制し、着弾位置ずれを抑制することができる。
【００５８】
金型１００、１１０等によっては、図４（ａ）に示すように、ヘッドモジュールの複数のヘッド１０が同じ方向に傾斜して取り付けられることがある。このため、ヘッド１０の取り付け角度（保持部材５０の表面に対する角度）に基づいて、流路部材４０の弁体が動作する動作圧力（制御圧力）のランクを適宜組み合わせるようにしてもよい。
【００５９】
すなわち、ヘッド１０が被記録媒体に対して相対移動する際に、保持部材５０に垂直に設けられたヘッド１０によるインク滴の着弾位置に対し、移動方向とは反対側にインク滴が着弾する角度で取り付けられたヘッド１０には、インク滴の飛翔速度が遅くなる動作圧力で動作する流路部材４０を組み合わせる。
【００６０】
逆に、保持部材５０の表面に対して垂直に設けられたヘッド１０によるインク滴の着弾位置に対し、インク滴が早く着弾する角度で取り付けられたヘッド１０には、インク滴の飛翔速度が早くなる動作圧力で動作する流路部材４０を組み合わせる。
【００６１】
これにより、ヘッド１０の保持部材５０への取り付け角度の傾斜方向にばらつきがある複数のヘッドモジュール１を組み合わせて、インクジェット式記録装置に搭載したとしても、複数のヘッドモジュール１の間でインク滴の着弾位置ずれを抑制することができる。また、インク滴の着弾位置ずれを調整する調整手段等が不要になってコストを低減することができる。さらに、各ヘッドモジュール１の着弾位置の調整を行う必要がなくなり、調整作業が不要となってコストを低減することができる。
【００６２】
もちろん、インクジェット式記録装置に複数のヘッドモジュール１を搭載する際には、同じ識別マーク３５のヘッド１０で構成されるヘッドモジュール１を用いることで、着弾位置ずれを抑制することができる。
【００６３】
なお、ヘッド１０が被記録媒体に対して相対移動する移動方向によって着弾位置が逆転してしまうため、上述したヘッド１０と供給特性でランク分けした流路部材４０によって飛翔速度を調整する組み合わせは、ヘッドモジュール１が固定されて、被記録媒体を搬送するだけで印刷を行う、所謂ライン型のインクジェット式記録装置に適用することができる。また、ヘッドモジュール１がキャリッジに搭載されて主走査方向に移動しながら印刷を行う、所謂シリアル型のインクジェット式記録装置の場合には、キャリッジの一方向の移動時のみにインク滴を吐出させて印刷を行わせるようにすればよい。
【００６４】
もちろん、流路部材４０の内部に弁体が設けられていない場合であっても、流路部材４０の内部の流路の断面積のばらつきによって流路抵抗にばらつきが生じ、液体の供給特性にばらつきが生じることも考えられるため、弁体が内部に設けられていない流路部材４０であっても同様に流路部材４０をランク分けし、ヘッドケース３０を成形した金型に基づいて流路部材４０のランクを選定するようにしてもよい。
【００６５】
さらに、本発明は、広く液体噴射ヘッドを有する液体噴射ヘッドモジュール全般を対象としたものであり、例えば、プリンター等の画像記録装置に用いられる各種のインクジェット式記録ヘッド等の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等を有する液体噴射ヘッドモジュールにも適用することができる。
【符号の説明】
【００６６】
１  液体噴射ヘッドモジュール（インクジェット式記録ヘッドモジュール）、  １０  液体噴射ヘッド（インクジェット式記録ヘッド）、  ２０  ヘッド本体、  ２１  液体噴射面、  ３０  ヘッドケース、  ３１  保持部、  ３５、３６  識別マーク、  ４０  流路部材、  ５０  保持部材、  ６０  締結部材、  １００、１１０  金型
【図１】
2012179805.tif 000003
【図２】
2012179805.tif 000004
【図３】
2012179805.tif 000005
【図４】
2012179805.tif 000006
【図５】
2012179805.tif 000007
【図６】
2012179805.tif 000008
【図７】
2012179805.tif 000009